(57)【要約】【課題】断熱作用を発揮する空隙を有する二重容器を、一体成形物として構成することにより、断熱機能を発揮する二重容器を、通常の壜体の外観体裁を維持したまま、簡単に、また安価に製造できるようにする。【解決手段】肩部４から胴部７を、上端を一体に連結し、少なくとも胴部７部分が間に空隙１２を有した二重壁構造として壜体状に二重容器を構成し、二重壁構造の上端が相互にかつ口筒部に一体に連結した一体構造であるので、通常の壜体と同様の外観体裁を維持し、簡単に取扱うことができる。【選択図】図１
2005047557.tif 000002
【特許請求の範囲】
【請求項１】
下端を底部(11)で塞いだ胴部(7)の上端に、肩部(4)を介して口筒部(2)を連設して壜体状にブロー成形された合成樹脂製の二重容器(1)であって、前記肩部(4)から胴部(7)を、上端を一体に連結し、少なくとも前記胴部(7)では間に空隙(12)を有する二重壁構造とした二重容器。
【請求項２】
胴部(7)の外側壁である胴外筒(9)の下端部を、空隙(12)の下端を閉塞する方向に湾曲したカール部(10)とした請求項１記載の二重容器。
【請求項３】
胴外筒(9)の下端を、胴部(7)の内側壁である胴内筒(8)から底部(11)の周端部にかけての部分に、密に接着固定することにより、空隙(12)を密閉構造とした請求項１または２記載の二重容器。
【請求項４】
肩部(4)の内側壁である肩内筒(5)と、胴部(7)の内側壁である胴内筒(8)と、そして底部(11)とから成る部分を、二軸延伸ブロー成形部分とした請求項１、２または３記載の二重容器。
【請求項５】
カール部(10)で脚部を形成した請求項１、２、３または４記載の二重容器。
【請求項６】
下端を底部(11)で塞いだ胴部(7)の上端に、肩部(4)を介して口筒部(2)を連設し、前記肩部(4)および胴部(7)を二重壁構造とした、壜体状にブロー成形される合成樹脂製の二重容器(1)の成形方法であって、口筒部(14)の下端から、肩相当部(17)と胴相当部(18)と底相当部(19)とから成る有底筒状の本体部(16)と、前記二重容器(1)の肩外筒(6)と胴外筒(9)とを形成するスカート筒部(20)とを垂下状に連設したプリフォーム(13)を成形し、該プリフォーム(13)の本体部(16)を、少なくとも前記スカート筒部(20)の胴外筒(9)との間に空隙(12)を形成する大きさにブロー成形する二重容器の成形方法。
【請求項７】
スカート筒部(20)の胴外筒(9)の下端部を、空隙(12)の下端を閉塞する方向に湾曲させてカール部(10)に加熱成形する請求項６記載の二重容器の成形方法。
【請求項８】
胴外筒(9)の下端を、胴部(7)のブロー成形された胴内筒(8)から底部(11)の周端部にかけての部分に、接着剤により密に接着固定する請求項６または７記載の二重容器の成形方法。
【請求項９】
本体部(16)のブロー成形を、二軸延伸ブロー成形とした請求項６、７または８記載の二重容器の成形方法。
【発明の詳細な説明】
【技術分野】
【０００１】
本発明は、断熱機能を発揮するブロー成形された壜体状の合成樹脂製二重容器とその成形方法に関するものである。
【背景技術】
【０００２】
収納した内容物に対して断熱作用を発揮する合成樹脂製容器として、外容器体と内容器体とを、間に空隙を形成させて組合わせ、この外容器体と内容器体との間に形成された空隙により断熱作用を得るようにした二重容器が知られている。
【０００３】
上記した構成の二重容器は、既に一定形状に成形されている外容器体と内容器体とを、そのまま組合わせるので、その構造が、外容器体と内容器体とを組合わせることが可能なもの、例えばどんぶり状とかカップ状となっているのが一般である。
【特許文献１】特開２００２−２８２１１０号公報
【０００４】
このものは、容器の外観形状および構造が大幅に制限されてしまい、基本的には、大きな開口部を有する構造となるので、液体を収納保持するには、きわめて不向きである、と云う不満があった。
【０００５】
この不満を解消するものとして、外容器体と内容器体とをそれぞれ壜体状に成形しておき、上下に２分割した外容器体の上半分を、その口部で内容器体に組付け固定し、外容器体の下半分を、内容器体に被せるようにして、外容器体の上半分に連結固定することにより、外観形状が壜体状となった二重容器を構成したものがある。
【特許文献２】特開２００２−６８３２４号公報
【０００６】
この外観形状が壜体状である二重容器は、通常の壜体と同様に、液体収納容器として適正に機能させることができるのであるが、その成形は、２分割した外容器体の一方を、内容器体に一定姿勢で組付け、この組付け状態を一定に維持したまま、他方を一方に連結固定することにより達成されるものとなっている。
【発明の開示】
【発明が解決しようとする課題】
【０００７】
このため、一つの二重容器を製作するのに要する部品数が、少なくとも三つ必要となり、それだけ部品の取扱いが煩雑で面倒となり勝ちとなる、と云う問題があった。
【０００８】
また、上下に２分割した外容器体を繋ぎ合わせて二重容器を完成させるので、この外容器体の繋ぎ合わせ部分が、容器の外観を著しく悪化させる恐れが高く、このため外容器体の繋ぎ合わせ部分を隠蔽する必要があり、その分、構成が複雑化し、容器の製造価格が高くなる、と云う問題があった。
【０００９】
すなわち、壜体状の二重容器を成形するに際しては、外容器体を、少なくとも２分割して、内容器体の外容器体内への挿入組付けを可能とする必要があったのである。
【００１０】
そこで、本発明は、上記した従来技術における問題点を解消すべく創案されたもので、断熱作用を発揮する空隙を有する二重容器を、一体成形物として構成することを技術的課題とし、もって断熱機能を発揮する二重容器を、通常の壜体の外観体裁を維持したまま、取扱いが簡単でかつ、安価に製造できるようにすることを目的とする。
【課題を解決するための手段】
【００１１】
上記技術的課題を解決する本発明の内、請求項１記載の発明の手段は、
下端を底部で塞いだ胴部の上端に、肩部を介して口筒部を連設して壜体状にブロー成形された合成樹脂製の二重容器であること、
肩部から胴部を、上端を一体に連結し、少なくとも胴部では間に空隙を有する二重壁構造とすること、
にある。
【００１２】
この請求項１記載の発明にあっては、少なくとも胴部が、間に空隙を設けた二重壁構造となっているので、この空隙が断熱作用を発揮し、二重容器を断熱容器として機能させる。
【００１３】
二重壁構造部分の上端が、相互にかつ口筒部に対して一体に連結した構成となっているので、この部分、すなわち肩部と口筒部との連設部分には、外観体裁を劣化させる恐れのある、組合わせ面による線が現われることがなく、平滑な外表面を形成する。
【００１４】
また、胴外筒の下端は、成形された二重容器の下端部に位置することになるので、この胴外筒の下端が、二重容器の外観体裁に影響を与えることは、殆どない。
【００１５】
請求項２記載の発明は、請求項１記載の発明の構成に、胴部の外側壁である胴外筒の下端部を、空隙の下端を閉塞する方向に湾曲したカール部とした、ことを加えたものである。
【００１６】
この請求項２記載の発明にあっては、カール部の内周端と胴内筒側との間に形成される間隔が小さくなるので、このカール部により、胴外筒側と胴内筒側との相対変位を少なく規制することができ、また空隙の下方への開放面積を小さくすることができるので、空隙の断熱作用を有効に発揮させることになり、さらに成形された二重容器の下端部の外観に丸みを与えて、通常の壜体容器と同じ外観体裁となるので、胴外筒の下端縁が容器の外観体裁を害する恐れはない。
【００１７】
請求項３記載の発明は、請求項１または２記載の発明の構成に、胴外筒の下端を、胴部の内側壁である胴内筒から底部の周端部にかけての部分に、密に接着固定することにより、空隙を密閉構造とした、ことを加えたものである。
【００１８】
この請求項３記載の発明にあっては、胴外筒の下端を胴内筒から底部の周端部にかけての部分に接着固定したので、胴外筒の下端が胴内筒側に連結固定されることになり、これにより胴外筒側と胴内筒側とが相互に不動に結合して、安定した相互姿勢を維持することになり、また空隙が密閉構造となるので、対流現象による断熱効果の低下を引き起こす恐れがない。
【００１９】
請求項４記載の発明は、請求項１、２または３記載の発明の構成に、肩部の内側壁である肩内筒と、胴部の内側壁である胴内筒と、そして底部とから成る部分を、二軸延伸ブロー成形部分とした、ことを加えたものである。
【００２０】
この請求項４記載の発明にあっては、内容物を直接収納する部分を、二軸延伸ブロー成形された部分としたので、この部分に二軸延伸ブロー成形に伴う物性の向上を付与することが可能となり、またこの部分の肉厚を充分に薄くすることができるので、一つの容器を成形するのに要する樹脂材料の量を少なくすることが可能となる。
【００２１】
請求項５記載の発明は、請求項１、２、３または４記載の発明の構成に、カール部で脚部を形成した、ことを加えたものである。
【００２２】
この請求項５記載の発明にあっては、二重壁構造となっていない底部を床面から浮上げることができるので、その分、底部に対する断熱作用を得ることができ、また肩内筒と胴内筒と底部とから成る部分を薄肉に構成しても、座機能が低下することはない。
【００２３】
また、本発明の内、請求項６記載の発明の手段は、
下端を底部で塞いだ胴部の上端に、肩部を介して口筒部を連設し、肩部および胴部を二重壁構造とした、壜体状にブロー成形される合成樹脂製の二重容器の成形方法であること、
口筒部の下端から、肩相当部と胴相当部と底相当部とから成る有底筒状の本体部と、二重容器の肩外筒と胴外筒とを形成するスカート筒部とを垂下状に連設したプリフォームを成形すること、
このプリフォームの本体部を、スカート筒部の胴外筒との間に空隙を形成する大きさにブロー成形すること、
にある。
【００２４】
この請求項６記載の発明にあっては、本体部だけをブロー成形処理することにより、スカート筒部との間に空隙を形成するので、所望する大きさの空隙を自在に成形することができ、これにより得られる断熱効果の程度を事前に設定することが可能となる。
【００２５】
プリフォームは、口筒部と本体部とスカート筒部とから成る一体成形物であるので、組立て等の部品相互間の取扱い処理が全く不要であり、その分、成形時の取扱いが簡単となる。
【００２６】
請求項７記載の発明は、請求項６記載の発明の構成に、スカート筒部の胴外筒の下端部を、空隙の下端を閉塞する方向に湾曲させてカール部に加熱成形する、ことを加えたものである。
【００２７】
この請求項７記載の発明にあっては、カール部を、本体部のブロー成形の後に、加熱成形するので、カール部が本体部のブロー成形の邪魔となることがなく、またカール部の成形時の加熱処理は、スカート筒部の下端部だけに加えられるので、ブロー成形された本体部分、具体的には胴内筒および底部に、熱の悪影響を与える恐れがなく、カール部を安全に加熱成形することができる。
【００２８】
請求項８記載の発明は、請求項６または７記載の発明の構成に、胴外筒の下端を、胴部のブロー成形された胴内筒から底部の周端部にかけての部分に、接着剤により密に接着固定する、ことを加えたものである。
【００２９】
この請求項８記載の発明にあっては、胴外筒の胴内筒側に対する密な連結固定を、接着剤による接着固定としたので、ブロー成形部分である胴内筒から底部の周端部にかけての部分に熱的な悪影響を与えることなく、空隙の密閉を安全に達成することができる。
【００３０】
請求項９記載の発明は、請求項６、７または８記載の発明の構成に、本体部のブロー成形を、二軸延伸ブロー成形とした、ことを加えたものである。
【００３１】
この請求項９記載の発明にあっては、肩内筒と胴内筒そして底部を、充分に薄肉に成形することができ、これにより一つの容器を成形するのに消費される樹脂材料の量を、少なくすることが可能となる。
【発明の効果】
【００３２】
本発明は、上記した構成となっているので、以下に示す効果を奏する。
請求項１記載の発明にあっては、肩部から胴部を、間に空隙を有する二重壁構造としたので、この空隙が断熱作用を発揮し、断熱容器としての機能を確実に発揮する。
【００３３】
二重壁構造を構成する両壁部分の上端は、相互にかつ口筒部に一体に連結しているので、この部分、すなわち口筒部と肩部との連設部分の外表面は、外観体裁を損なう恐れのある組合わせ面による線が現われることがなく、外観体裁の良い平滑な面となる。
【００３４】
請求項２記載の発明にあっては、胴外筒側と胴内筒側との相対変位を少なく規制することができるので、取扱い時の安定性を得ることができ、また空隙の断熱作用を有効に発揮させることができ、さらに胴外筒の下端縁が容器の外観体裁を害することなく、二重容器を、通常の壜体容器と同じ外観体裁とすることができる。
【００３５】
請求項３記載の発明にあっては、二重壁構造を構成する両壁部分の下端間を、不動に接着固定したので、二重壁構造の機械的強度が高められ、これにより容器として安定した強度を発揮することができ、また空隙を密閉構造としたので、空隙が発揮する断熱効果を充分に高めることができる。
【００３６】
請求項４記載の発明にあっては、内容物を直接収納する部分の物性を、二軸延伸ブロー成形により、収納に有利な方向に高めることができるので、内容物の安全で好ましい収納を達成でき、またこの内容物を直接収納する部分の肉厚を、無理なく充分に薄くすることが可能であるので、一つの容器を成形するのに要する合成樹脂材料の量を少なくすることができ、これにより省資源化効果を得ることができる。
【００３７】
請求項５記載の発明にあっては、空隙が存在しない底部を床面から浮上げることができるので、この床面と底部との間に形成される空間を断熱部として機能させることができ、これにより容器全体の断熱作用を高めることができ、また内容物を直接収納する部分を薄肉に成形しても、座機能が低下することがなく、安定した座機能が得られる。
【００３８】
請求項６記載の発明にあっては、空隙の大きさを自在に成形することができるので、得られる断熱効果の程度を事前に設定することが可能となり、それゆえ発揮される断熱機能程度を、収納する内容物とか用途に適合させて設定することができる。
【００３９】
また、プリフォームは一体成形物であるので、その取扱いが簡単であり、それゆえ効率の良い成形操作を得ることができる。
【００４０】
請求項７記載の発明にあっては、カール部に邪魔されることなく、本体部のブロー成形を、無理なく円滑に達成することができ、またブロー成形部分に熱的悪影響を与えることなく、カール部を安全に加熱成形することができる。
【００４１】
請求項８記載の発明にあっては、ブロー成形された胴内筒および底部に、熱的な悪影響を与えることなく、空隙の密閉を安全に達成することができる。
【００４２】
請求項９記載の発明にあっては、肩内筒と胴内筒そして底部の薄肉化を、簡単にかつ安全に達成することができる。
【発明を実施するための最良の形態】
【００４３】
以下、本発明の実施例を、図面を参照しながら説明する。
図１は、本発明による二重容器１の第一の実施例を示す半縦断面図で、二重容器１は、外周面に、螺条と、この螺条の下位にネックリング３とを突条設した口筒部２と、この口筒部２の下端に、下方に拡径したテーパ筒状に連設された肩部４と、肩部４の下端から垂下状に連設された胴部７と、そしてこの胴部７の下端を閉鎖する底部１１とから構成されている。
【００４４】
肩部４は、間に空隙１２を位置させた、肩内筒５と肩外筒５とにより二重壁構造となっており、同様に胴部７も、間に空隙１２を位置させた、胴内筒８と胴外筒９とにより二重壁構造となっており、また肩内筒５と胴内筒８とは一体に連結しており、同様に肩外筒６と胴外筒９とは一体に連結しているので、肩部４と胴部７との組合わせ構造部分は、一体に連続した二重壁構造となっている。
【００４５】
胴外筒９の下端部は、空隙１２を塞ぐ方向、すなわち内方に湾曲されてカール部１０に成形されており、このカール部１０の内周端縁は、胴内筒８の下端に、密に接着固定されている。
【００４６】
このカール部１０の胴内筒８に対する密接着により、肩部４と胴部７との組合わせ部分に形成される空隙１２は密閉構造となり、これにより空隙１２内に空気が、熱対流等により出入りして、断熱能力が低下するのを防止している。
【００４７】
底部１１は、中央部分を二重容器１内に球弧殻状に陥没させ、その周端部分を脚部として機能させている。
【００４８】
図２〜図４は、図１に示した実施例の成形方法の一例を示すもので、図２に示したプリフォーム１３は、図１に示した二重容器１におけるネックリング３を有する口筒部２と全く同じ構成の、ネックリング１５を有する口筒部１４の下端から、この口筒部１４を下方に延長させた形態で、上端部を肩相当部１７、中央部分を胴相当部１８、そして下端部を底相当部１９とした、有底筒状の本体部１６を垂下設すると共に、そのままで二重容器１の肩外筒６と胴外筒９との一体連結部分を構成するスカート筒部２０を垂下設した構成で、射出成形されている。
【００４９】
このプリフォーム１３を、保持治具２１に組付けて保持し、本体部１６を延伸成形できる温度に加熱してから、ブロー金型装置２２に組付ける（図３参照）。
【００５０】
ブロー金型装置２２は、割金型２３と底金型２５と胴部金型２４と、そして延伸ピン（図示省略）から構成されており、割金型２３と底金型２５とは、通常の二軸延伸ブロー成形装置と略同様な構造となっているが、胴部金型２３は、空隙１２を成形するための特有な構成物となっている。
【００５１】
保持治具２１に保持されたプリフォーム１３に対するブロー金型装置２２の組付きは、保持治具２１との間でネックリング１５を挟持すると共に、スカート筒部２０を外側から支える姿勢で、割金型２３を組付け、また割金型２３との間に、スカート筒部２０の胴外筒９となる部分を位置させた姿勢で、胴内筒８の成形型面を形成する胴部金型２４を、底金型２５と組合わさった状態で組付けて達成される。
【００５２】
図示実施例の胴部金型２４は、割金型２３および底金型２５に対する位置合わせ機能部を有するベース板部分に、直線円筒形状をして胴内筒８の成形型面を形成する主体部分を起立状に一体設した構造となっている。
【００５３】
ブロー金型装置２２が上記した構成となっているので、プリフォーム１３の本体部１６は、スカート筒部２０の肩外筒６部分と、胴部金型２３と、底金型２５とを成形型面として、肩相当部１７が肩内筒５に、胴相当部１８が胴内筒８に、そして底相当部１９が底部１１に、それぞれ二次延伸ブロー成形される。
【００５４】
このように、胴内筒８は、胴外筒９内に挿入位置した胴部金型２４の主体部分を成形型面として成形されるので、胴外筒９との間には、少なくとも胴部金型２４の主体部分の厚みを間隙幅とする空隙１２が形成されることになるが、図示実施例に示すように、肩内筒５と肩外筒６との間にも空隙１２が形成されるのが望ましい。
【００５５】
このようにして二軸延伸ブロー成形された中間成形品は、図４に示すように、空隙１２の下端が開放された構造となっているので、図４中、矢印で示すように、胴外筒９の下端部を加熱処理しながら型を用いてカール部１０に湾曲成形し、同時にまたは次いでカール部１０の内周端縁を、胴内筒８の下端に、接着剤により密に接着固定して、図１に示した二重容器１に成形する。
【００５６】
図５は、本発明による二重容器１の第二の実施例を示す半縦断面図で、この第二の実施例は、二重容器１の脚部を、後加工により湾曲成形されたカール部１０で形成する構成となっている。
【００５７】
この図５に示した第二の実施例にあっては、肩内筒５と胴内筒８とそして底部１１とが、充分に薄肉に延伸ブロー成形されて、自己形状保持能力が大幅に低下した状態となったとしても、必要とする肉厚を有する胴外筒９から湾曲成形されたカール部１０が、安定した脚機能を発揮することになる。
【００５８】
また、肩外筒６と胴外筒９との一体連結物が、薄肉な肩内筒５と胴内筒８との一体連結物を外側から覆って保護することになるので、肩内筒５と胴内筒８との一体連結物が薄肉であることによる、強度不足および取扱いのし難さ等が問題となることはない。
【００５９】
なお、上記した説明においては、本体部１６を二軸延伸ブロー成形する場合を例として説明したが、本体部１６の成形手段は、二軸延伸ブロー成形に限定されることはなく、通常のブロー成形であっても良いことは云うまでもない。
【図面の簡単な説明】
【００６０】
【図１】本発明による二重容器の第一の実施例を示す、半縦断正面図である。
【図２】図１の実施例を成形するに用いる、プリフォームを示す縦断正面図である。
【図３】図２に示したプリフォームの二軸延伸ブロー成形処理を示す説明図である。
【図４】図３に示した二軸延伸ブロー成形処理で成形された中間成形品の構造を示す説明図である。
【図５】本発明による二重容器の第二の実施例を示す、半縦断正面図である。
【符号の説明】
【００６１】
１    ；  二重容器
２    ；  口筒部
３    ；  ネックリング
４    ；  肩部
５    ；  肩内筒
６    ；  肩外筒
７    ；  胴部
８    ；  胴内筒
９    ；  胴外筒
１０  ；  カール部
１１  ；  底部
１２  ；  空隙
１３  ；  プリフォーム
１４  ；  口筒部
１５  ；  ネックリング
１６  ；  本体部
１７  ；  肩相当部
１８  ；  胴相当部
１９  ；  底相当部
２０  ；  スカート筒部
２１  ；  保持治具
２２  ；  ブロー金型装置
２３  ：  割金型
２４  ；  胴部金型
２５  ；  底金型
【図１】
2005047557.tif 000003
【図２】
2005047557.tif 000004
【図３】
2005047557.tif 000005
【図４】
2005047557.tif 000006
【図５】
2005047557.tif 000007